(57)【要約】【課題】  未登録の電話番号からの着信または発信者の電話装置の電話番号が不明の着信に対して、発信者を積極的に特定する。【解決手段】  着信時における電話装置の第１の応答処理（ステップ２０６）において、発信者自身の音声データを記録部に記録する（ステップ２０８）。この発信者自身の音声データを着信音として、電話装置のスピーカから出力させる（ステップ２１４）。そのため、電話装置で着信した着信者が、着信に対して通話が開始される第２の応答前に、誰からの着信であるかを、発信者自身の着信音（音声データ）を聞くことで、確認できる。即ち、未登録の電話番号からの着信または発信者の電話装置の電話番号が不明の着信に対して、発信者を積極的に特定できる。【選択図】      図５
2006148312.tif 000002
【特許請求の範囲】
【請求項１】
着信に対して発信者の音声データの発信を促すメッセージを前記発信先へ送信する第１の応答手段と、
前記メッセージに基づいて受信される前記発信者の音声データを着信音データとし、前記着信に対して通話が開始される第２の応答前に、前記着信音データを出力する処理手段と、
を備えることを特徴とする電話装置。
【請求項２】
前記処理手段は、前記メッセージに基づいて受信される前記発信者の音声データを記憶する第１の記憶手段と、
前記第１の記憶手段に記憶された前記発信者の音声データを、前記着信に対する着信音データとして、前記第２の応答前に、出力させる出力手段と、
を備えることを特徴とする請求項１に記載の電話装置。
【請求項３】
前記第１の記憶手段に前記発信者の音声データが記憶されたかを判断する判断手段と、
前記メッセージが予め記憶されている第２の記憶手段とを、さらに備え、
前記判断手段が、前記音声データが前記第１の記憶手段に記憶されたと判断した場合には、前記出力手段が前記着信音データを出力し、
前記判断手段が、前記音声データが前記第１の記憶手段に記憶されていないと判断した場合には、前記第１の応答手段が前記メッセージを前記発信先へ送信することを特徴とする請求項２に記載の電話装置。
【請求項４】
前記判断手段が前記発信者の音声データを前記第１の記憶手段に記憶していると判断した場合において、
呼出手段が前記第２の応答前に通常の着信音を出力させ、
前記通常の着信音の出力中において、前記呼出手段が前記通常の着信音に対する応答データを検出した場合に、前記出力手段が前記着信音データを出力することを特徴とする請求項３に記載の電話装置。
【請求項５】
前記発信者の音声データが、前記第１の記憶手段に記憶されている場合において、
前記着信が、前記第１の記憶手段に予め記憶されている前記発信者であると判断手段が判断した場合には、前記第１の記憶手段に記憶されている前記音声データと、他の連続音データとを組み合わせ、連続する連続着信音データとすることを特徴とする請求項２乃至４のいずれか１項に記載の電話装置。
【請求項６】
前記第１の記憶手段に前記発信者の音声データが記憶されていることを、発信側から送信されるプッシュボタン信号に基づき、前記判断手段が判断することを特徴とする請求項２乃至５のいずれか１項に記載の電話装置。
【請求項７】
発信側から送信される送信データに対応するパスワードデータを、検索する検索手段を、さらに備え、
前記パスワードデータが、前記第１の記憶手段に予め記憶されている場合において、
前記発信側から送信される送信データに基づき、前記パスワードデータと一致するかを前記検索手段が検索し、
前記判断手段が、前記検索手段の検索結果によって前記発信データが前記パスワードデータと一致すると判断した場合には、前記第１の記憶手段に予め記憶されている前記音声データと、他の連続音データとを組み合わせ、連続する連続着信音データとすることを特徴とする請求項２乃至６のいずれか１項に記載の電話装置。
【請求項８】
前記判断手段が、前記検索手段の検索結果によって前記発信データが前記パスワードデータと不一致であると判断した場合には、警告手段に前記発信データが前記パスワードデータと不一致であることを警告した後に、
前記第１の記憶手段に予め記憶されている前記音声データと、他の連続音データとを組み合わせ、連続する連続着信音データとすることを特徴とする請求項７に記載の電話装置。
【請求項９】
着信時に発信側の電話番号データを表示する着信表示手段を、さらに備えることを特徴とする請求項１乃至８のいずれか１項に記載の電話装置。
【請求項１０】
着信に対して発信者の音声データの発信を促すメッセージを前記発信先へ送信し、
前記メッセージに基づいて受信される前記発信者の音声データを着信音データとし、前記着信に対して通話が開始される前に、前記着信音データを出力することを特徴とする着信方法。
【請求項１１】
前記着信音データを出力する場合、前記メッセージに基づいて受信される前記発信者の音声データを記憶し、
記憶された前記発信者の音声データを、前記着信に対する着信音データとして、前記着信に対して通話が開始される前に、出力することを特徴とする請求項１０に記載の着信方法。
【発明の詳細な説明】
【技術分野】
【０００１】
本発明は、たとえば有線タイプの加入電話，無線タイプの携帯電話などの電話装置およびその着信方法に関し、特に着信表示機能を備える電話装置およびその着信方法に関する。
【背景技術】
【０００２】
従来より、電話の着信時であって着信者が応答する前に、発信側の電話番号あるいは発信者の氏名などを、ディスプレイに表示する電話装置が、提案されている。この着信表示機能を備える電話装置では、着信者が着信表示を視認することにより、詐欺や悪質な勧誘などの電話を利用した犯罪を、未然に防止できる。
【０００３】
また、ナンバーディスプレイサービスにおいて、発信者の電話装置の電話番号を予め登録している場合に、着信した電話番号に基づき、発信者を特定する技術は提案されている。例えば、ナンバーディスプレイサービスを利用した電話装置に対して、予め発信者の電話装置の電話番号と対応させて録音した音声データを、通話開始前に呼び出す技術が提示されている（例えば、特許文献１参照）。
【０００４】
さらに、音声特徴抽出部で抽出された音声特徴データを、必要なデータと組合わせて音声メッセージデータにすると共に、音声合成部で生成された音声メッセージデータを着信通知用として出力する技術は提案されている（例えば、特許文献２参照）。特許文献２では、着信時に音声特徴が格納されていない場合、通常の着信通知の処理を行う。
【０００５】
【特許文献１】特開２００１−７７８８３公報
【特許文献２】特開２００４−８０２５８公報（段落番号［００４２］および図３参照）
【発明の開示】
【発明が解決しようとする課題】
【０００６】
ところで、上記ナンバーディスプレイサービスまたはネームディスプレイ契約などを受ける（即ち、発信側の電話番号などをディスプレイに表示させる）には、上記電話装置を所有する着信者（該電話装置の契約者）が、たとえばナンバーディスプレイ契約などを、電話会社と結ぶ必要がある。
【０００７】
しかし、ナンバーディスプレイ契約などは有料であるため、現状では電話装置の契約者の全てが上記契約(ナンバーディスプレイサービスの利用)をしていない。また、発信者側の電話装置が公衆電話である場合あるいは発信者が番号非通知を選択した場合には、上記契約者がナンバーディスプレイ契約をしていても、発信者を特定することができないという問題がある。
【０００８】
一方、現在の電話装置では、発信者の電話番号を非通知にした着信を、全て接続しないようにした機種が提供されている。この場合、緊急に連絡を取る必要があっても、たとえば自局の電話番号を通知できないために、発信者の電話装置が、着信者の電話装置に接続できないという問題がある。
【０００９】
また、特許文献１では、上記電話番号が予め登録されていない場合たとえば発信者の電話番号が非通知などの場合、上述の他の例と同様に、発信者を特定することができないという問題がある。なお、たとえば上記非通知の場合には、留守番モードあるいは着信拒否モードに変更することも可能であるが、発信者を積極的に把握することができないという問題がある。
【００１０】
さらに、特許文献２では、通常の着信通知として出力される音声データが、メモリに格納されている基本音声データの音声特徴に基づくデータであり、発信者自身の肉声に基づく音声データではない。即ち、特許文献２でも、特許文献１と同様に、発信者を特定することができないという問題がある。
【００１１】
従って、上記従来技術では、ナンバーディスプレイサービスなどを利用したり、予め発信者の電話番号データあるいは発信者自身の音声データを登録する必要がある（上記各特許文献参照）。そのため、上記従来技術では、未登録の上記電話番号からの着信または発信者の電話装置の電話番号が不明の着信などに対して、発信者を積極的に特定することができないという問題がある。
【００１２】
そこで、本発明は、未登録の電話番号からの着信または発信者の電話装置の電話番号が不明の着信に対して、発信者を積極的に特定し得る電話装置およびその着信方法を、提供することを目的とする。
【課題を解決するための手段】
【００１３】
本発明に係る電話装置は、着信に対して発信者の音声データの発信を促すメッセージを前記発信先へ送信する第１の応答手段と、前記メッセージに基づいて受信される前記発信者の音声データを着信音データとし、前記着信に対して通話が開始される第２の応答前に、前記着信音データを出力する処理手段と、を備える。
【００１４】
本発明に係る電話装置の着信方法は、着信に対して発信者の音声データの発信を促すメッセージを前記発信先へ送信し、前記メッセージに基づいて受信される前記発信者の音声データを着信音データとし、前記着信に対して通話が開始される前に、前記着信音データを出力する。
【発明の効果】
【００１５】
本発明に係る電話装置およびその着信方法では、第２の応答前に、着信した発信者の音声データを着信音データとして出力するので、着信者（該電話装置を使用するユーザ）は発信者を特定できる。
【００１６】
即ち、本発明に係る電話装置およびその着信方法によれば、未登録の電話番号からの着信または発信者の電話装置の電話番号が不明の着信に対して、発信者を積極的に特定できる。
【発明を実施するための最良の形態】
【００１７】
(第１の実施形態)
以下、図１乃至図８に基づいて、本発明の第１実施形態である電話装置およびその着信方法について説明する。本実施形態の電話装置は、有線タイプの電話装置であって、外線（電話回線）および電話局（交換局の端末）を介して他の（発信側の）電話装置にそれぞれ接続される。
【００１８】
なお、図１は本実施形態における電話装置に関するブロック図、図２は図１に示す記憶部に記憶されている定型の音声メッセージテーブル、図３は図１に示す記録部に記録されている電話帳テーブル、図４は図１に示す記録部に記録されている着信履歴テーブルである。
【００１９】
図１に示すように、電話システムＳにおいて、複数の電話装置１０（１０Ａ，１０Ｂ）は、外線５０および電話局５２を介して接続される。そして、電話装置１０は、電話局５２を経由して、相互に通信可能となっており、音声データなどのデータの送受信を行う。
【００２０】
（電話装置の構成）
電話装置１０（１０Ａ）は、第１の応答手段、処理手段、出力手段および判断手段を有する制御部（ＣＰＵ）１２と、第１の記憶手段である記録部１６と、第２の記憶手段である記憶部１４と、を含む。さらに、電話装置１０（１０Ａ）は、計時手段であるタイマ１８と、操作手段である操作キー２０と、入力手段であるダイヤルキーパッド２２と、表示手段または着信表示手段の一部を構成する表示部（ＬＣＤ）２４と、を含んで構成されている。そして、電話装置１０は、着信時に発信側の電話番号データを、表示部２４に表示するナンバーディスプレイ機能（着信表示機能）を備える。
【００２１】
また、電話装置１０は、デジタル／アナログ変換器またはアナログ／デジタル変換器などを含む音声処理部２６と、音声信号（データ）の有無を検出（解析）する音声検出部２８と、音声データを合成する音声合成部３０と、通話を行う受話器（ハンドセット）３２と、受話器３２のオン・オフの状態を検出するフックスイッチ３４と、パス切換スイッチ３６と、呼び出し音または各種の音を外部へ出力するスピーカ３８と、を含んで構成されている。
【００２２】
さらに、電話装置１０は、外線５０と接続するインタフェース（Ｉ／Ｆ）４０と、プッシュボタン信号を検出し解析するプッシュボタン信号受信部４２と、モデム信号を検出し解析するモデム信号受信部４４と、を含んで構成されている。
操作キー２０は、たとえば切断モード（機能），通話モード，留守電モードまたは掛け直しモードなどを設定する各種キーである。また、ダイヤルキーパッド２２は、ダイヤル入力を行うパッドである。制御部１２は、電話装置１０の全体的な動作を司り、たとえば操作キー２０またはダイヤルキーパッド２２のダイヤルキーが操作された場合に、その操作に基づく処理を行う。
【００２３】
記憶部１４は、電話装置１０に各種の処理を行わせるプログラムや、各種データたとえば定型の音声メッセージテーブル６０（図２参照：第２の記憶手段），動作ログなどの読み書き用の記憶域を有する。即ち、記憶部１４は、ワーク領域などの記憶域を備える。また、記録部１６には、たとえば図３に示す電話帳テーブル６２（第１の記憶手段），図４に示す着信履歴テーブル６４および音声データなどを記録する。
【００２４】
図１に示す記憶部１４には、図２に示すように、定型の音声メッセージテーブル６０が、メッセージデータとメモリ番号（アドレス）とを関連付けて記憶されている。例えば、メッセージデータ「さんからお電話です」が、メモリ番号「１」に関連付けられて記憶されている。また、メッセージデータ「おつなぎ致しますので、発信音のあとにお名前を５秒以内におっしゃって下さい」が、メモリ番号「２」に関連付けられて記憶されている。
【００２５】
さらに、メッセージデータ「ただいま電話に出ることができません。後ほどおかけ直しします」が、メモリ番号「３」に関連付けられて記憶されている。また、メッセージデータ「ただいま電話に出ることができません。発信音の後にメッセージをお願いします」が、メモリ番号「４」に関連付けられて記憶されている。さらに、メッセージデータ「おつなぎ出来ません」が、メモリ番号「５」に関連付けられて記憶されている。
【００２６】
図１に示す記録部１６には、図３に示すように、電話帳テーブル６２たとえば「登録ＮＯ（アドレス）と、電話番号（データ）と、この電話番号に対応する名前（データ）と、発信者自身の音声による名前音声データと」を、それぞれ関連付けて記録されている。たとえば、電話番号「０３３４５６７８９０」と，名前「アイウエオカキ」と，音声による名前音声データ「音声ファイル１」とが、登録ＮＯ「１」に関連付けられて記録されている。
【００２７】
ここで、「音声ファイル１」は、登録ＮＯ「１」と関連付けて、図１に示す記録部１６の音声データ記録領域（図示省略）に記録されている。そして、図１に示す検索手段である制御部１２が、登録ＮＯ「１」に対応する「音声ファイル１」を検索し、記録部１６の音声データ記録領域から読出す。なお、登録ＮＯ「２」には、名前音声データが記録されていない。また、登録ＮＯ「３」には、名前データが記録されていない。
【００２８】
図１に示す記録部１６には、図４に示すように、着信履歴テーブル６４たとえば「履歴番号（アドレス）と、着信日時（データ）と、発信者番号（データ）と、扱い（データ）と、電話帳登録（データ）と、着信拒否登録（データ）と、アクション（データ）と」を、それぞれ関連付けて記録されている。
【００２９】
たとえば、着信日時「２００４／７／１  ７:３４」と、発信者番号「０３３４５６７８９０」と，扱い「応答」と，電話帳登録「済み」と，着信拒否登録「−」（着信拒否ではない旨の印）と，アクション「−」（記録すべきアクションがない旨の印）が、履歴番号「１」に関連付けられて記録されている。なお、「扱い」には、切断、掛け直し、留守番などのデータが記録される。また、「アクション」には、掛け直し済み、聴取済み、未掛け直しなどのデータが記録される。
【００３０】
音声処理部２６は、デジタル／アナログ変換器またはアナログ／デジタル変換器などによって、音声信号のデジタル信号をアナログ信号へ変換し、または音声信号のアナログ信号をデジタル信号へ変換する。
【００３１】
モデム信号受信部４４は、インタフェース４０と制御部１２との間に接続され、外線５０からの電話装置１０の電話番号データを通知するモデム信号を受信し解析する。
【００３２】
音声検出部２８は、インタフェース４０と制御部１２との間に接続され、耐雑音機能を備え、かつ話者による音声データの有無を検出（解析）する。そして、音声検出部２８に入力される音声データ以外の話中音データ，ハウラー音データまたは無音データなどを、音声検出部２８が検出した場合、制御部１２は、録音エラーと判断する。
【００３３】
パス切換スイッチ３６は、制御部１２とインタフェース４０との間に接続されていると共に、音声処理部２６，フックスイッチ３４，スピーカ３８にも接続されている。即ち、音声処理部２６はパス切換スイッチ３６と制御部１２との間に接続されている。また、フックスイッチ３４は、パス切換スイッチ３６と制御部１２との間に接続されている。
【００３４】
そして、パス切換スイッチ３６は、制御部１２による各種処理に基づき、音声処理部２６，スピーカ３８または受話器３２（フックスイッチ３４）に対する接続を切換える。
表示部（ＬＣＤ）２４は、制御部１２による各種処理に基づき、発信者の情報または操作の案内情報などの各種情報を表示する。タイマ１８は、時間（時刻または日付）をカウントし、たとえば記憶部１４で予め設定された所定時間（５秒）をカウントする。
【００３５】
なお、電話装置１０Ｂは、電話装置１０Ａと同様の構成ではなくても良く、例えばナンバーディスプレイ機能を備えないタイプであっても良い。また、電話装置１０Ｂは、携帯電話または公衆電話などであっても良い。
【００３６】
（本実施形態の作用）
次に、図５乃至図８を参照して、電話装置１０（１０Ａ）における着信通話モードに関する処理について説明する。ここで、図５に示す処理（着信通話モード）は、図１に示す電話装置１０の制御部１２によって実行される処理ルーチンを示すフローチャートであり、該プログラムは予め記憶部１４（図１参照）のプログラム領域に記憶されている。なお、本実施形態は、図１に示す電話装置１０Ｂから電話装置１０Ａに対して、呼び出しを行う例である。
【００３７】
（着信通話モード）
図５に示すように、ステップ２００において、制御部１２は、電話装置１０Ａに着信を受けているか否かを判断する。このステップ２００の判断は、図１に示すインタフェース４０が、電話装置１０Ａの着信を検出し、この検出信号が制御部１２へ入力されることに基づくものである。
【００３８】
ステップ２００が肯定の場合すなわち電話装置１０Ａが着信を受けた場合、制御部１２は、ステップ２０１で、発信側の電話装置１０Ｂがナンバーディスプレイ契約をしているか否かを判断する。即ち、制御部１２は、記録部１６（図１参照）のデータ記録領域（図示省略）に記録されているナンバーディスプレイ契約データを検索（アクセス）し、この検索結果に基づいてステップ２０１の判断を行う。
【００３９】
ステップ２０１が肯定の場合すなわち上記契約データが記録部１６にある場合には、ステップ２０２で、制御部１２は、電話局（電話会社の端末）５２からの発信側の電話番号データを、受信したか否かを判断する。そして、この発信側の電話番号データがインタフェース４０を介してモデム信号受信部４４で受信すると、モデム信号受信部４４は、上記電話番号データを解析し、この解析結果データを制御部１２へ出力する。
【００４０】
ステップ２０２が肯定の場合すなわち上記電話番号データを受信した場合には、ステップ２０３で、制御部１２は、上記電話番号データが記録部１６の電話帳テーブル６２（図３参照：第１の記憶手段）に登録（記録）済みであるか否かを判断する。そして、制御部１２は、上記受信した電話番号データが、記録部１６内の電話帳テーブル６２に格納（記録）されている電話番号データと一致するか否かを検索する。
【００４１】
ステップ２０３が否定の場合すなわち上記電話番号データが電話帳テーブル６２に登録されていない場合には、ステップ２０６（第１の応答処理）で、制御部１２は、図１に示す記憶部１４に記憶されている定型の（音声）メッセージ「おつなぎ致しますので、発信音のあとにお名前を５秒以内におっしゃって下さい」（図２参照）に対応するメッセージデータを発信側の電話装置１０Ｂへ出力する。
【００４２】
即ち、制御部１２は、上記メッセージデータを記憶部１４から読出した後、音声処理部２６で音声データに変換すると共に、パス切換スイッチ３６およびインタフェース４０を経由し、発信側の電話装置１０Ｂへ出力する。引続き、制御部１２は、名前音声データの入力の開始を示す発信音データも、発信側の電話装置１０Ｂへ出力する。
【００４３】
なお、ステップ２０１が否定の場合すなわちナンバーディスプレイ契約データが記録部１６に記録されていない場合（公衆電話からの着信などである場合），またはステップ２０２が否定の場合すなわち発信側の電話装置１０Ｂが番号非通知を選択している場合には、上記ステップ２０６以降の処理が行われる。
【００４４】
ステップ２０８では、発信者の音声データの録音処理が行われる。この録音処理では、発信側の電話装置１０Ｂで入力された発信者の音声データが、受信側の電話装置１０Ａのインタフェース４０およびパス切換スイッチ３６を経由し、音声処理部２６に入力される。
入力された音声データは音声処理部２６でデジタル化され、このデジタル化された音声データは図３に示す電話帳テーブル６２のアドレスデータすなわち電話番号データ（名前データ）に関連付けられて記録部１６の音声データ記録領域に記録される。
【００４５】
なお、上記録音処理は、タイマ１８で所定時間たとえば録音処理開始から５秒をカウントし、この所定時間経過と同時に、音声データの録音を終了させる。
【００４６】
ステップ２１０では、制御部１２が、音声データが正常に録音された否かを判断する。ここで、音声検出部２８は、送信側の電話装置１０Ｂから送信されるデータ（インタフェース４０からのデータ）が、音声データか否かを検出（解析）する。そして、音声検出部２８が音声データ以外の話中音データまたは無音データなどであることを検出すると、音声検出部２８は音声データでないとの検出信号を制御部１２へ出力する。この場合、制御部１２は、録音エラー（正常に録音されていない）と判断する。
【００４７】
ステップ２１０が肯定の場合すなわち正常に録音された場合には、ステップ２１２で、音声合成部３０が、録音された発信者の名前音声データ「○○」および記憶部１４の定型の音声メッセージデータ「さんからお電話です」を合成する。即ち、制御部１２は、上記録音された発信者の名前音声データ「○○」と，上記音声メッセージデータ６０中のメッセージデータ「さんからお電話です」とを、音声合成部３０へ入力させる。
【００４８】
音声合成部３０は、上記発信者の名前音声データ「○○」を、上記音声メッセージデータの「さんからお電話です」の先頭部分へ、挿入して「○○さんからお電話です」と合成し、発信者自身の音声を一部（先頭の○○部分）に使用した着信音データとする。
【００４９】
ステップ２１４では、制御部１２が、上記発信者自身の着信音データを、前記着信に対して通話を開始する第２の応答処理の前に、音声処理部２６およびパス切換スイッチ３６を経由して、電話装置１０Ａのスピーカ３８から出力させる。即ち、制御部１２は、上記着信音データを音声処理部２６でアナログ信号に変換させた後に、パス切換スイッチ３６へ出力させる。以上のステップ２０８乃至２１４は、着信音出力処理に相当する。
【００５０】
ステップ２０３が肯定の場合すなわち上記電話番号データが電話帳テーブル６２に登録されている場合には、制御部１２の判断手段が、ステップ２１６で、電話帳テーブル６２内に発信者の音声データがあるか否かを判断する。ステップ２１６が否定の場合すなわち電話帳テーブル６２内に発信者の音声データが無い場合には、ステップ２０６へ進み、図１に示すメッセージＮＯ「２」と対応する「おつなぎ致しますので、発信音のあとにお名前を５秒以内におっしゃって下さい」を第２の記憶手段である音声メッセージテーブル６０から読出し、発信側の電話装置１０Ｂへ送信する。その後は、ステップ２０８以降の処理が続けられる。
【００５１】
ステップ２１６が肯定の場合すなわち電話帳テーブル６２内に発信者の音声データが存在する場合には、ステップ２１８で、発信者の音声データを図１に示す記録部１６に記録されている電話帳テーブル６２（図３参照）を検索し、たとえば「音声ファイル１」を記録部１６から読出す。
【００５２】
即ち、検索手段の一部を構成する制御部１２は、図３に示す電話帳テーブル６２中の該当する「音声ファイル１」に対応する音声データを音声データ記録領域から読出す。そして、ステップ２１２へ進み、制御部１２は、「音声ファイル１」に対応する音声データおよび図２に示す音声メッセージテーブル６０（第２の記憶手段）の登録ＮＯ「１」の連続音データを、音声合成部３０で合成させる。また、制御部１２は、ステップ２１４で、発信者自身の上記着信音データを、スピーカ３８から出力させる。
【００５３】
ステップ２１０が否定の場合すなわち正常に録音されなかった場合（録音エラーと判断された場合）には、ステップ２２０で、制御部１２が、非通知の着信拒否が設定されているか否かを判断する。即ち、本実施形態では、図１に示す記録部１６に、発信側の電話装置１０Ｂが電話番号の通知を拒否する処理（例えば「１８４」のダイヤル操作）を行った場合に、発信側の電話装置１０Ｂの接続を拒否する「非通知拒否」を設定（記録）することができる。
【００５４】
ステップ２２０が否定の場合すなわち「非通知拒否」が設定されていない場合には、ステップ２２２で、制御部１２が、通常の着信音たとえば呼び出し音（コール音）を、図１に示すスピーカ３８から出力させる。
【００５５】
ステップ２２４において、制御部１２は、図６に示す選択モードの処理を行う。この選択モードは、切断モード，通話モード，留守電モード，掛け直しモードの４種類の中から１つを、選択するモードである。
【００５６】
ステップ２２６において、制御部１２は、図８に示す履歴集計モードの処理を行う。この履歴集計モードは、図１に示す記録部１６に記録されている着信履歴テーブル６４（図４参照）中に、着信履歴データを新たに登録（記録）などするモードである。
【００５７】
上記ステップ２２６の履歴集計モードが終了した場合は、本フローチャートを終了させる。また、ステップ２２０が肯定の場合すなわち「非通知拒否」が設定されている場合には、ステップ２２８で、制御部１２は、図６に示す切断モードの処理を行い、その後ステップ２２６の履歴集計モードの処理を行う。
【００５８】
（選択モード）
次に、図６のサブルーチンに基づき、図５に示す選択モード（ステップ２２４参照）について、説明する。上記選択モードの前提として、図１に示す制御部１２は、図５に示す着信音データ（ステップ２１４参照）または呼出音（コール音）の出力中（ステップ２２２参照）において、図１に示す表示部２４に、「１：通話，２：留守電，３：掛け直し，４：切断」の選択メニューを表示させる。
【００５９】
そして、電話装置１０Ａの利用者が、上記表示部２４に表示された選択メニュー中から、上記選択番号に対応するダイヤルキーパッド２２（図１参照）のダイヤルキー（図示省略）を選択する操作に基づき、各種のモードが選択される。即ち、図６に示すサブルーチンは、制御部１２が、上記ダイヤルキーの操作による操作信号を検出し、判断することによって実行される。
【００６０】
図６において、ステップ３００では、制御部１２が、切断モードが選択されたか否かを判断する。ステップ３００が肯定の場合すなわち切断モードが選択された場合には、ステップ３０２で、制御部１２は、図１に示す記憶部１４に記憶されている定型の音声メッセージテーブル６０からメッセージＮＯ「５」に対応するメッセージデータを音声データ記録領域から読出し、上記メッセージデータを発信側の電話装置１０Ｂに発信する。
【００６１】
即ち、制御部１２は、上記読み出したメッセージ「おつなぎ出来ません」のデータを、図１に示す音声処理部２６でアナログ信号に変換し、パス切換スイッチ３６およびインタフェース４０を経由して、発信側の電話装置１０Ｂに発信する。
【００６２】
上記メッセージの発信後、制御部１２は、インタフェース４０に対し外線５０を開放させる制御信号を出力し、且つパス切換スイッチ３６に対し受話器３２側（通話路側）の接続を切断させる制御信号を出力する。即ち、制御部１２は、受話器３２に対する通話路を切断させる。
【００６３】
ステップ３０４において、図１に示す制御部１２は、記録部１６（図１参照）に記録されている着信履歴テーブル６４（図４参照）の「発信者番号（電話番号）」欄中に、上記着信した電話装置１０Ｂに該当する発信者番号データが、記録されているのか否かを判断する。
【００６４】
ステップ３０４が肯定の場合すなわち上記着信番号データが着信履歴テーブル６４（リスト）に記録されている場合には、ステップ３０６で、制御部１２が、着信拒否をリストに登録するのか否か判断する。即ち、制御部１２は、ステップ３０６の処理前に、ユーザが上記登録の有無を選択するために、図１に示す表示部２４に、「１：着信拒否登録する，２：着信拒否登録しない」の選択メニューを表示させる。
【００６５】
そして、図１に示すダイヤルキーパッド２２の該当するキー（図示省略）が操作されると、その操作信号が制御部１２に入力されるので、制御部１２は入力された上記操作信号に基づき、着信拒否の登録の有無を判断する。
【００６６】
ステップ３０６が肯定の場合すなわち着信拒否をリストに登録する場合には、ステップ３０８で、制御部１２が、図４に示す着信履歴テーブル６４の着信拒否登録の欄に「済み」を記録（登録）する。そして、このステップ３０８で「着信拒否登録」が「済み」として記録された場合、制御部１２は、着信後直ちに通話路を切断させる。
【００６７】
ステップ３０４が否定の場合すなわち上記着信番号がリストに記録されていない場合およびステップ３０６が否定の場合すなわち着信拒否をリストに登録しない場合には、本サブルーチンは終了する。なお、図５に示すステップ２２０における「非通知拒否」の場合には、着信履歴テーブル６４の発信者番号欄に、番号なしと登録すると共に、着信履歴テーブル６４の扱いの欄に、切断と登録する。
【００６８】
次に、ステップ３００が否定の場合すなわち切断モードが選択されない場合には、ステップ３１０で、制御部１２は、通信モードが選択されたか否かを判断する。ステップ３１０が肯定の場合すなわち通信モードが選択された場合（第２の応答時）には、ステップ３１２で、制御部１２は、通話処理を行う（第２の応答処理）。
【００６９】
ステップ３１２の通話処理は、図１に示す受話器３２がセットオフされる際のフックスイッチ３４（図１参照）の検出（オフ）信号を、制御部１２が検出すると開始する。即ち、制御部１２は、パス切換スイッチ３６に対しインタフェース４０を介して外線５０と受話器３２とを接続させる制御信号を出力し、通話（受話器３２に対するデータの送受信）を可能とする。
【００７０】
ステップ３１４では、制御部１２が、通話が終了したか否かを判断する。この判断は、図１に示す受話器３２がセットオンされる際のフックスイッチ３４（図１参照）の検出（オン）信号を、制御部１２が検出することに基づいて行う。
【００７１】
ステップ３１４が肯定の場合すなわち通話を終了させる場合には、ステップ３１６で、制御部１２は、インタフェース４０およびパス切換スイッチ３６を制御することにより、受話器３２に対する通話路を切断させる。なお、ステップ３１４の処理は、上記フックスイッチ３４のオン信号が制御部１２に入力されるまで続けられる。
【００７２】
ステップ３１６の切断処理の終了後は、ステップ３１８で、図１に示す制御部１２は、記録部１６にアクセスし、記録部１６（図１参照）に記録されている電話帳テーブル６２（図３参照）の「電話番号」欄中に、上記着信した電話装置１０Ｂに該当する電話番号データが、記録されているのか否かを判断する。
【００７３】
ステップ３１８が肯定の場合すなわち上記電話番号が電話帳テーブル６２の「電話番号」欄中に記録されている場合には、ステップ３２０で、制御部１２が、上記電話番号データを、電話帳テーブル６２の「電話番号」欄中に登録（記録）するのか否か判断する。
即ち、制御部１２は、ステップ３２０の処理前に、ユーザが上記登録の有無を選択するために、図１に示す表示部２４に、「１：電話帳登録する，２：電話帳登録しない」の選択メニューを表示させる。
【００７４】
そして、図１に示すダイヤルキーパッド２２の該当するキー（図示省略）が操作されると、その操作信号が制御部１２に入力されるので、制御部１２は入力された上記操作信号に基づき、電話帳への登録の有無を判断する。
【００７５】
ステップ３２０が肯定の場合すなわち電話番号データを電話帳テーブル６２の「電話番号」欄中に登録する場合には、ステップ３２２で、電話帳登録モード（図７参照）を実行する。なお、ステップ３１８が否定の場合すなわち上記電話番号データが電話帳テーブル６２の「電話番号」欄中に記録されていない場合およびステップ３２０が否定の場合すなわち電話番号データを電話帳テーブル６２に登録しない場合には、本サブルーチンは終了する。
【００７６】
（電話帳登録モード）
次に、図７のサブルーチンに基づき、図６に示す電話帳登録モード （ステップ３２２参照）について、説明する。図７に示すステップ５０１において、図１に示す制御部１２は、電話装置１０Ａのナンバーディスプレイ機能に基づき、電話局５２（図１参照）から送信される電話番号（データ）を、電話装置１０Ａの表示部２４（図１参照）に表示する。
そして、ユーザは、電話装置１０Ａの表示部２４に表示された電話番号データを視認することにより、発信側の電話装置１０Ｂの電話番号を確認することができる。なお、電話番号データを受信していない場合（図５のステップ２０２が否定の場合）、制御部１２は、表示部２４に電話番号データを表示させない。
【００７７】
ステップ５０２において、制御部１２は、上記電話番号が確認済みであることを示す確認キー（図１に示す操作キー２０の中の１つ）が、押下されたか否かを、上記確認キーのキー信号に基づいて判断する。
【００７８】
ステップ５０２が否定の場合すなわち確認キーが押下されない場合、制御部１２は、図１に示すダイヤルキーパッド２２から入力される電話番号データを、図１に示す表示部２４に表示する。そして、ステップ５０３の処理後すなわち電話番号データが表示部２４に表示された後は、ステップ５０２に戻り、確認キーが押下されたか否かを判断する。
【００７９】
ステップ５０２が肯定の場合すなわち確認キーが押下された場合には、ステップ５０４で、制御部１２は、確認キーに対応する電話番号データを、図３に示す電話帳テーブル６２の「電話番号」に対応する記録領域に保存（記録）する。
【００８０】
ステップ５０５において、制御部１２は、名前データの入力処理を行う。上記名前データの入力処理は、まず、たとえば「名前の入力処理」などの名前を入力する旨のメッセージを、図１に示す表示部２４に表示する。そして、ユーザは、図１に示すダイヤルキーパッド２２から該当する文字キー（図示省略）を選択し、発信者（自分）の名前データを入力する。
【００８１】
ステップ５０６において、制御部１２は、名前データの入力が終了したか否かを判断する。即ち、制御部１２は、データの入力を確定する確定キー（図１に示す操作キー２０の中の１つ）が、押下されたか否かを判断する。ステップ５０６が肯定の場合すなわち確定キーが押下された場合には、ステップ５０７で、制御部１２は、文字キーで入力された名前データを、上記電話帳テーブル６２（図３参照）の名前に対応する名前記録領域に保存（記録）する。
【００８２】
ステップ５０８において、制御部１２は、記録部１６中の音声データ記録領域に記録（録音）されている名前音声データを読出すと共に、読出された名前音声データを音声処理部２６（図１参照）でアナログ変換し、パス切換スイッチ３６を経由してスピーカ３８から出力させる。
【００８３】
ステップ５０９において、制御部１２は、上記ステップ５０８の処理後、録音した名前音声データを記録部１６に保存（記録）するのか否かを、ダイヤルキーパッド２２から出力される操作信号に基づいて判断する。即ち、制御部１２は、表示部２４に「１：音声保存，２：再録音，３：消去」を表示させる。
【００８４】
そして、ステップ５０９が肯定の場合すなわち録音された名前音声データを保存する場合には、ステップ５１１で、制御部１２は、図３に示す電話帳テーブル６２中の発信者の名前データに対応する音声データ記録領域に、録音された名前音声データを保存する。即ち、ユーザは、録音された名前音声データで良い場合（ステップ５０９が肯定の場合）には、ダイヤルキーパッド２２で番号「１」を入力（選択）する。
【００８５】
ステップ５０９が否定の場合すなわち名前音声データを録音しない場合（録音に問題がある場合）には、ステップ５１０で、制御部１２は、再録音するのか否かを判断する。ステップ５１０が肯定の場合すなわち再録音する場合には、ステップ５１３において、図１に示す電話装置１０Ａの利用者（ユーザ）の音声で再録音する。なお、ステップ５１０を選択するには、ユーザが、ダイヤルキーパッド２２で番号「２」を入力する。
【００８６】
そして、制御部１２は、記憶部１４から図２に示す音声メッセージテーブル６０から名前録音の開始の定型ガイダンス（例えば、ＮＯ「２」）を読出し、利用者が受話器３２を介して音声データを録音（記録）する。ステップ５１３の処理後は、ステップ５０９に戻る。
【００８７】
ステップ５１０が否定の場合すなわち再録音しない場合には、ステップ５１２で、制御部１２は、名前音声データの録音を消去する。即ち、ユーザは、録音された名前音声データを消去する場合（ステップ５１０が否定の場合）には、ダイヤルキーパッド２２で番号「３」を入力（選択）する。
【００８８】
そして、制御部１２は、電話帳テーブル６２（図３参照）に記録されている名前（発信者名）データに対応する記録領域を、クリアにして空き状態にする。ステップ５１２の処理後、本サブルーチンは終了する。
【００８９】
図６に戻り、選択モードについて、説明する。ステップ３１０が否定の場合すなわち通話モードが選択されない場合には、ステップ３２４で、留守電モードが選択されたか否かを判断する。ステップ３２４が肯定の場合すなわち留守電モードに切換えられた場合には、ステップ３２６で、制御部１２は、記憶部１４に記憶されている音声メッセージテーブル６０（図２参照）中のメッセージＮＯ「４」を読出し、スピーカ３８から音声を出力させる。
【００９０】
即ち、制御部１２は、「ただいま電話に出ることができません。発信音の後にメッセージをお願いします」のメッセージデータを、読出して音声処理部２６でアナログ信号に変換すると共に、パス切換スイッチ３６およびインタフェース４０を経由して、発信者の電話装置１０Ｂへ発信する。
【００９１】
ステップ３２８において、制御部１２は、発信者によって入力されたメッセージ（音声データ）を、留守録する電話装置１０Ａの記録部１６に記録する。即ち、留守録モード（ステップ３２８）において、メッセージは電話装置１０Ａのインタフェース４０およびパス切換スイッチ３６を経由し、音声処理部２６でデジタル処理される。そして、制御部１２は、メッセージを記録部１６に記録させる。
【００９２】
また、留守録モードにおいて、発信者側の電話装置１０Ｂのフックスイッチ３４がオフすることによってインタフェース４０が終話を検出すると、制御部１２は、メッセージの記録を停止させると共に、ステップ３１６に進む。即ち、留守録モード（ステップ３２８）の終了後は、ステップ３１６に進み、ステップ３１６以降の処理（通話路の切断などの処理）が行われる。
【００９３】
なお、留守録されたメッセージの内容を確認するには、先ず、留守録モードを解除する操作キー２０を押下する。制御部１２は、留守録モードを解除し、記録部１６に記録されているメッセージを順次読出す。そして、読出されたメッセージを、信号処理部２６でアナログ信号に変換し、パス切換スイッチ３６を切換えて電話装置１０Ａのスピーカ３８からメッセージ（音声データ）を出力させる。
【００９４】
ステップ３２４が否定の場合すなわち留守電モードが選択されていない場合には、ステップ３３０で、制御部１２は、掛け直しモードが選択されたか否かを判断する。ステップ３３０が肯定の場合すなわち掛け直しモードが選択された場合には、ステップ３３２で、制御部１２は、記憶部１４に記憶されている音声メッセージテーブル６０（図２参照）中のメッセージＮＯ「３」を読出し、スピーカ３８から音声を出力させる。
【００９５】
即ち、制御部１２は、「ただいま電話に出ることができません。後ほどおかけ直しします」のメッセージデータを記憶部１４から、読出し、音声処理部２６でアナログ信号に変換すると共に、パス切換スイッチ３６およびインタフェース４０を経由して、発信者の電話装置１０Ｂへ発信する。そして、ステップ３３２の処理後は、ステップ３１６に進み、ステップ３１６以降の処理（通話路の切断などの処理）が行われる。ステップ３３０が否定の場合すなわち掛け直しモードが選択されていない場合、本サブルーチンは終了する。
【００９６】
引続き、図８に基づき、履歴集計モード（図５のステップ２２６参照）について説明する。図８に示すステップ６００において、制御部１２は、利用者が電話装置１０間の接続を切断（応答中に外線５０を開放）したか否かを判断する。ステップ６００が肯定の場合すなわち外線５０の接続が切断された場合には、ステップ６０２で、着信拒否リストに登録済みか否かを判断する。
【００９７】
ステップ６０２が否定の場合すなわち着信拒否リストに登録していない場合、ステップ６０４で、制御部１２は、同一の電話番号からの着信を切断した回数（同一切断回数）が、予めユーザが設定した回数（規定着信数）を超えたか否かを判断する。本実施形態では、例えば規定着信数が、２回に設定されている。
【００９８】
ステップ６０４が肯定の場合すなわち同一切断回数が規定着信数を超えた場合には、ステップ６０６で、制御部１２は、拒否リストに登録する。例えば、図４に示す着信履歴テーブル６４において、履歴番号２では、発信者番号（発信者の電話番号）が「０１１２２３３４４５」であり、呼び出しに対する「扱い」が切断である。
【００９９】
その後、履歴番号４において、上記電話番号と同一の発信者番号の着信が切断されているが、規定着信数が２回であるので、着信拒否登録を未だ行わない。さらに、履歴番号７において、上記電話番号と同一の発信者番号の着信が切断され、規定着信数が２回を超えるので、制御部１２は、着信拒否登録において済みの登録を行い、本サブルーチンを終了させる。
【０１００】
ステップ６０２が肯定の場合すなわち着信拒否リストに登録している場合、およびステップ６０４が否定の場合すなわち規定着信数を超えていない場合は、本サブルーチンを終了させる。
【０１０１】
ステップ６００が否定の場合すなわち外線５０の接続を切断しない場合には、ステップ６０８で、制御部１２は、掛け直しを選択したか否かを判断する。ステップ６０８が肯定の場合すなわち掛け直しを選択した場合には、ステップ６１０で、制御部１２は、掛け直し済みか否かを判断する。
【０１０２】
ステップ６１０が否定の場合すなわち掛け直し済みではない場合には、ステップ６１２において、制御部１２は、図１に示すタイマ１８で未掛け直し時間（掛け直しする旨のメッセージを出力した時間から現在の時間）を計測すると共に、予めユーザが設定した時間（規定時間）を経過したか否かを判断する。なお、ステップ６１２の処理は、規定時間が経過するまで続けられる。
【０１０３】
ステップ６１２が肯定の場合すなわち規定時間を経過した場合には、ステップ６１４で、制御部１２は、図１に示すスピーカ３８（警告手段）からアラーム音（警告データ）を出力すると共に、表示部２４（図１参照：警告手段）に掛け直しが未だである旨のメッセージデータを表示（出力）する。この際には、掛け直しの電話番号も、併せて表示させる。
ステップ６１６において、制御部１２は、警告表示中にフックスイッチ３４がオンになったか否かを判断する。
【０１０４】
すなわち、図１に示す受話器３２が持ち上げられることにより、フックスイッチ３４がオンとなる。ステップ６１６が肯定の場合すなわち警告表示中にフックスイッチ３４がオンになった場合には、ステップ６１８で、表示部２４に表示されている警告表示を解除する。また、ステップ６２０において、制御部１２は、パス切換スイッチ３６およびインタフェース４０を制御し、掛け直しのメッセージデータを電話装置１０Ｂに発信する。
【０１０５】
ステップ６１６が否定の場合すなわち警告表示中にフックスイッチ３４がオフのままの場合には、ステップ６２２で、制御部１２は、表示部２４に表示されている警告表示を解除するのか否かを判断する。即ち、制御部１２は、図１に示す操作キー２０（警告解除キー）が押下されることにより、操作信号が入力されたか否かを判断する。
【０１０６】
ステップ６２２が肯定の場合すなわち警告解除キーが所定時間内に押下された場合には、ステップ６２４で、制御部１２は、表示部２４に表示されている警告表示を解除する。なお、ステップ６２２が否定の場合すなわち警告解除キーが所定時間内に押下されない場合には、ステップ６１６に戻り、フックスイッチ３４がオンになった否かを判断する。
【０１０７】
ステップ６０８が否定の場合すなわち掛け直しを選択しない場合には、制御部１２は、留守電モードおよび通話モードであると判断し、ステップ６２６に進む。ステップ６２６において、制御部１２は、着信した電話番号が、図３に示す電話帳テーブル６２に記録されているか否かを判断する。
【０１０８】
ステップ６２６が否定の場合すなわち着信した電話番号が電話帳テーブル６２に記録されていない場合には、ステップ６２８で、制御部１２は、同一の電話番号からの着信の回数（同一着信回数）が、予めユーザが設定した回数（規定着信数）を超えたか否かを判断する。
【０１０９】
ステップ６２８が肯定の場合すなわち同一着信回数が規定着信数を超えた場合には、ステップ６３０で、制御部１２は、着信した電話番号を電話帳テーブル６２（図３参照）に登録（記録）する。なお、ステップ６１０が肯定の場合すなわち掛け直し済みの場合も、制御部１２は、ステップ６２６以降の登録モードの処理を行う。
【０１１０】
一方、ステップ６２６が肯定の場合すなわち着信した電話番号を電話帳テーブル６２に登録されている場合には、既に上記電話番号が電話帳テーブル６２に登録されているので、制御部１２は、本サブルーチンを終了させる。また、ステップ６２８が否定の場合すなわち同一着信回数が規定着信数を超えていない場合も、着信回数が規定した回数に達していないので、制御部１２は、本サブルーチンを終了させる。
【０１１１】
本実施形態では、着信時における電話装置１０Ａの第１の応答時に、メッセージテーブルに基づいて受信した発信者自身の音声を記録部１６に記録し、この発信者自身の音声データを着信音とするので、電話装置１０Ａで着信した着信者が、着信に対して通話が開始される第２の応答前に、誰からの着信であるかを、発信者自身の着信音（音声データ）を聞くことで、確認できる。
【０１１２】
即ち、本実施形態によれば、未登録の電話番号からの着信または発信者の電話装置の電話番号が不明の着信に対して、発信者を積極的に特定できる。従って、本実施形態によれば、第２の応答前に、発信者を積極的に特定できるので、電話を利用した犯罪を未然に防止できる。
【０１１３】
(第２の実施形態)
以下、図９に基づいて、本発明の第２実施形態である電話装置の着信方法（着信通話モード）について説明する。本実施形態の電話装置は、図１に示す電話装置１０と同様であるので、詳細な説明は省略する。
【０１１４】
ここで、本実施形態の電話装置１０Ａは、制御部１２の判断手段が、発信者の音声データを第１の記憶手段（記録部１６）に記憶していると判断した場合において、制御部１２の呼出手段が第２の応答前に通常の着信音（コール音）を出力させ、通常の着信音の出力中において、呼出手段(制御部１２)が通常の着信音に対する応答データを検出した場合に、制御部１２の出力手段が着信音データ（発信者の音声データ）を出力する。
【０１１５】
（着信通話モード）
図９に示すように、ステップ８００において、制御部１２は、電話装置１０Ａに着信を受けているか否かを判断する。ステップ８００が肯定の場合すなわち電話装置１０Ａが着信を受けた場合、制御部１２は、ステップ８０１で、発信側の電話装置１０Ｂがナンバーディスプレイ契約をしているか否かを判断する。
【０１１６】
ステップ８０１が肯定の場合すなわち上記契約データが記録部１６（図１参照）にある場合には、ステップ８０２で、制御部１２は、電話局（電話会社の端末）５２からの発信側の電話番号データを、受信したか否かを判断する。
【０１１７】
ステップ８０２が肯定の場合すなわち電話番号データを受信した場合には、ステップ８０３で、制御部１２は、上記電話番号データが記録部１６に登録（記録）済みであるか否かを判断する。そして、制御部１２は、上記受信した電話番号テーブル６２に格納（記録）されている電話番号データと一致するか否かを検索する。
【０１１８】
ステップ８０３が否定の場合すなわち上記電話番号データが電話帳テーブル６２に登録されていない場合には、ステップ８０６で、制御部１２は、図１に示す記録部１６に記録されている定型の（音声）メッセージ「おつなぎ致しますので、発信音のあとにお名前を５秒以内におっしゃって下さい」（図２参照）に対応するメッセージデータを出力する。
なお、ステップ８０１が否定の場合すなわちナンバーディスプレイ契約データが記録部１６に記録されていない場合（公衆電話からの着信などである場合），またはステップ８０２が否定の場合すなわち発信側の電話装置１０Ｂが番号非通知を選択している場合には、上記ステップ８０６以降の処理が行われる。
【０１１９】
ステップ８０８では、発信者の音声データの録音処理が行われる。この録音処理では、発信側の電話装置１０Ｂで入力された発信者の音声データが、受信側の電話装置１０Ａのパス切換スイッチ３６およびインタフェース４０を経由し、音声処理部２６に入力される。
入力された音声データは音声処理部２６でデジタル化され、このデジタル化された音声データは図３に示す電話帳テーブル６２のアドレスデータすなわち電話番号データ（名前データ）に関連付けられて記録部１６に記録される。
【０１２０】
ステップ８１０では、制御部１２が、音声データが正常に録音された否かを判断する。ここで、音声検出部２８は、送信側の電話装置１０Ｂから送信されるデータ（インタフェース４０からのデータ）が、音声データか否かを検出（解析）する。そして、音声検出部２８が音声データ以外の話中音データまたは無音データなどであることを検出すると、音声検出部２８は音声データでないとの検出信号を制御部１２へ出力する。この場合、制御部１２は、録音エラー（正常に録音されていない）と判断する。
【０１２１】
ステップ８１０が肯定の場合すなわち正常に録音された場合には、ステップ８１２で、音声合成部３０が、録音された発信者の名前データ「○○」および記憶部１４の定型の音声メッセージデータ「さんからお電話です」を合成する。即ち、制御部１２は、上記録音それた発信者の名前音声データ「○○」と，上記音声メッセージ６０中のメッセージデータ「さんからお電話です」とを、音声合成部３０へ入力させる。
【０１２２】
音声合成部３０は、上記発信者の名前データ「○○」を、上記音声メッセージデータの「さんからお電話です」の先頭部分へ、挿入して「○○さんからお電話です」と合成し、発信者自身の音声を一部（先頭の○○部分）に使用した着信音データとする。
【０１２３】
ステップ８０３が肯定の場合すなわち上記電話番号データが電話帳テーブル６２に登録されている場合には、ステップ８１６で、電話帳テーブル６２内に発信者の音声データがあるか否かを判断する。ステップ８１６が否定の場合すなわち電話帳テーブル６２内に発信者の音声データが無い場合には、ステップ８０６へ進み、図１に示すメッセージＮＯ「２」と対応する「おつなぎ致しますので、発信音のあとにお名前を５秒以内におっしゃって下さい」を読出し、発信側の電話装置１０Ｂへ送信する。その後は、ステップ８０８以降の処理が続けられる。
【０１２４】
ステップ８１６が肯定の場合すなわち電話帳テーブル６２内に発信者の音声データが存在する場合には、ステップ８１８で、発信者の音声データを図１に示す記録部１６に記録されている電話帳テーブル６２（図３参照）を検索し、たとえば「音声ファイル１」を記録部１６から読出す。
【０１２５】
即ち、検索手段の一部を構成する制御部１２は、図３に示す電話帳テーブル６２中の該当する「音声ファイル１」に対応する音声データを音声データ記録領域から読出す。そして、ステップ８１２へ進み、制御部１２は、「音声ファイル１」に対応する音声データおよび図２に示す音声メッセージテーブル６０の登録ＮＯ「１」を、音声合成部３０で合成させる。
【０１２６】
ここで、制御部１２の判断手段が、発信者の音声データを第１の記憶手段（記録部１６）に記憶していると判断した場合とは、制御部１２がステップ８１６を肯定と判断した場合またはステップ８１０が肯定と判断した場合である。
【０１２７】
ステップ８１３において、制御部１２の呼出手段は、通常の着信音たとえば呼び出し音（コール音）を、図１に示すスピーカ３８から出力させる。即ち、通常の着信音（コール音）は、制御部１２が通話処理を行う前（第２の応答前）に出力する。
【０１２８】
ステップ８１４において、制御部１２は、ステップ８１３での通常の着信音（コール音）の出力中に、応答の有無（図１に示すフックスイッチ３４のオフ・オフ）を判断する。
即ち、ステップ８１４が肯定の場合すなわち受話器３２が持上げられることによってフックスイッチ３４がオンに切換った場合（制御部１２の呼出手段が通常の着信音に対する応答データを検出した場合）には、ステップ８１５で、制御部１２は、発信者自身の上記着信音データを、スピーカ３８より出力させる。なお、ステップ８１４の処理は、発信側の電話装置１０Ｂのフックスイッチ３４（図１参照）がオフになるまで続けられる。
【０１２９】
ステップ８２４において、制御部１２は、選択モードの処理（図６参照）を行う。この選択モードは、切断モード，通話モード，留守電モード，掛け直しモードの４種類の中から１つを、選択するモードである。なお、通話モードの選択は、ユーザが、受話器３２を持上げた状態（ステップ８１４での受話器３２を保持した状態）で、操作キー２０（通話キー）を押圧する。
【０１３０】
ステップ８２６において、制御部１２は、履歴集計モードの処理（図８参照）を行う。この履歴集計モードは、図１に示す記録部１６に記録されている着信履歴テーブル６４中に、着信履歴データを新たに登録（記録）などするモードである。上記ステップ８２６の履歴集計モードが終了した場合は、本フローチャートを終了させる。
【０１３１】
ステップ８１０が否定の場合すなわち正常に録音されなかった場合には、ステップ８２０で、制御部１２が、非通知の着信拒否が設定されているか否かを判断する。ステップ８２０が否定の場合すなわち「非通知拒否」が設定されていない場合には、ステップ８２２で、制御部１２が、通常の着信音たとえば呼び出し音を、図１に示すスピーカ３８から出力させる。
【０１３２】
また、ステップ８２０が肯定の場合すなわち「非通知拒否」が設定されている場合には、ステップ８２８で、制御部１２は、切断モード（図６参照）の処理を行い、その後ステップ８２６の履歴集計モードの処理を行う。なお、上記選択モードおよび履歴集計モードは、第１実施形態の処理と同様であるので、説明は省略する。
【０１３３】
本実施形態では、着信音データ（発信者の音声データ）を出力させる前提として、通常の呼び出し音を出力させた後、ユーザの操作（オン・フック）に基づくように設定（ステップ８１４）しているので、着信音テーブルが出力することを、ユーザがさらに注意する。その他の作用効果は、第１実施形態と同様であるので、詳細説明は省略する。
【０１３４】
(第３の実施形態)
以下、図１０に基づいて、本発明の第３実施形態である電話装置の着信方法（着信通話モード）について説明する。本実施形態の電話装置は、図１に示す電話装置１０と同様であるので、詳細な説明は省略する。ここで、本実施形態の電話装置１０Ａは、第１の記憶手段（記録部１６）に発信者の音声データが記憶されていることを、発信側から送信されるプッシュボタン信号に基づき、制御部１２の判断手段が判断する。
【０１３５】
（着信通話モード）
図１０に示すように、ステップ９００において、制御部１２は、電話装置１０Ａに着信を受けているか否かを判断する。ステップ９００が肯定の場合すなわち電話装置１０Ａが着信を受けた場合、制御部１２は、ステップ９０１で、発信側の電話装置１０Ｂがナンバーディスプレイ契約をしているか否かを判断する。
【０１３６】
ステップ９０１が肯定の場合すなわち上記契約データが記録部１６（図１参照）にある場合には、ステップ９０２で、制御部１２は、電話局（電話会社の端末）５２からの発信側の電話番号データを、受信したか否かを判断する。
【０１３７】
ステップ９０２が否定の場合すなわち上記電話番号データを受信しない場合には、ステップ９０３で、制御部１２は、プッシュボタン信号の送出処理を行う。プッシュボタン信号の送出処理は、制御部１２が、記録部１４のメッセージテーブル（図２参照）中に記録されている「発信側の電話装置１０Ｂにおける自局の電話番号を、プッシュボタン信号で入力（送信）依頼する」定型の音声（メッセージ）データを読出す。
【０１３８】
この後、制御部１２は、記憶部１４から読出した上記定型の音声データを、図１に示す音声処理部２６で音声信号に変換すると共に、音声処理部２６で変換した音声信号を、パス切換ステップ３６およびインタフェース４０を経由し、発信側の電話装置１０Ｂへ送信する。
【０１３９】
ステップ９０４において、制御部１２は、発信側の電話装置１０Ｂからプッシュボタン信号を受信したか否かを判断する。ステップ９０４が肯定の場合すなわちプッシュボタン信号を受信した場合には、ステップ９０５で、制御部１２は、プッシュボタン信号に基づくデータ（電話番号データ）が、記録部１６内の電話帳テーブル６２（第１の記憶手段）に格納（記録）されている電話番号データが一致するか否かを検索する。
【０１４０】
ステップ９０５では、制御部１２の判断手段が、発信側の電話装置１０Ｂから送信されるプッシュボタン信号に基づき、電話帳テーブル６２（第１の記憶手段）に発信者の音声データ（名前音声データ）が記憶されているかを判断する。
【０１４１】
即ち、ステップ９０５の処理では、上記電話装置１０Ｂからのプッシュボタン信号を、プッシュボタン受信部４２で受信すると共に、プッシュボタン受信部４２が上記プッシュボタン信号を解析した解析結果（電話番号データ）を制御部１２に出力する。
【０１４２】
ステップ９０５が否定の場合すなわち上記電話番号データが電話帳テーブル６２に登録されていない場合には、ステップ９０６で、制御部１２は、図１に示す記憶部１４に記憶されている定型の（音声）メッセージ「おつなぎ致しますので、発信音のあとにお名前を５秒以内におっしゃって下さい」（図２参照）に対応するメッセージデータを出力する。
【０１４３】
なお、ステップ９０１が否定の場合すなわちナンバーディスプレイ契約データが記録部１６に記録されていない場合（公衆電話からの着信などである場合）には、ステップ９０３へ進み、制御部１２は、プッシュボタン信号の送出処理を行う。また、ステップ９０２が肯定の場合すなわち発信側の電話装置１０Ｂから電話番号データを受信した場合には、上記ステップ９０５以降の処理が行われる。
【０１４４】
ステップ９０７では、発信者の音声データの録音処理が行われる。この録音処理では、発信側の電話装置１０Ｂで入力された発信者の音声データが、受信側の電話装置１０Ａのパス切換スイッチ３６およびインタフェース４０を経由し、音声処理部２６に入力される。
入力された音声データは音声処理部２６でデジタル化され、このデジタル化された音声データは図３に示す電話帳テーブル６２のアドレスデータすなわち電話番号データ（名前データ）に関連付けられて記録部１６に記録される。
【０１４５】
ステップ９０８では、制御部１２が、音声データが正常に録音された否かを判断する。ここで、音声検出部２８は、送信側の電話装置１０Ｂから送信されるデータ（インタフェース４０からのデータ）が、音声データか否かを検出（解析）する。そして、音声検出部２８が音声データ以外の話中音データまたは無音データなどであることを検出すると、音声検出部２８は音声データでないとの検出信号を制御部１２へ出力する。この場合、制御部１２は、録音エラー（正常に録音されていない）と判断する。
【０１４６】
ステップ９０８が肯定の場合すなわち正常に録音された場合には、ステップ９０９で、音声合成部３０が、録音された発信者の名前データ「○○」および記憶部１４の定型の音声メッセージデータ「さんからお電話です」を合成する。即ち、制御部１２は、上記録音された発信者の名前音声データ「○○」と，上記音声メッセージテーブル６０中のメッセージデータ「さんからお電話です」とを、音声合成部３０へ入力させる。
【０１４７】
音声合成部３０は、上記発信者の名前データ「○○」を、上記音声メッセージデータの「さんからお電話です」の先頭部分へ、挿入して「○○さんからお電話です」と合成し、発信者自身の音声を一部（先頭の○○部分）に使用した着信音データとする。
【０１４８】
ステップ９０５が肯定の場合すなわち上記電話番号データが電話帳テーブル６２に登録されている場合には、ステップ９１６で、電話帳テーブル６２内に発信者の音声データがあるか否かを判断する。ステップ９１６が否定の場合すなわち電話帳テーブル６２内に発信者の音声データが無い場合には、ステップ９０６へ進み、図１に示すメッセージＮＯ「２」と対応する「おつなぎ致しますので、発信音のあとにお名前を５秒以内におっしゃって下さい」を読出し、発信側の電話装置１０Ｂへ送信する。その後は、ステップ９０８以降の処理が続けられる。
【０１４９】
ステップ９１６が肯定の場合すなわち電話帳テーブル６２内に発信者の音声データが存在する場合には、ステップ９１８で、発信者の音声データを図１に示す記録部１６に記録されている電話帳テーブル６２（図３参照）を検索し、たとえば「音声ファイル１」を記録部１６から読出す。
【０１５０】
即ち、検索手段の一部を構成する制御部１２は、図３に示す電話帳テーブル６２中の該当する「音声ファイル１」に対応する音声データを音声データ記録領域から読出す。そして、ステップ９１２へ進み、制御部１２は、「音声ファイル１」に対応する音声データおよび図２に示す音声メッセージテーブル６０の登録ＮＯ「１」を、音声合成部３０で合成させる。
【０１５１】
ステップ９０８が肯定の場合すなわち正常に録音された場合には、ステップ９０９で、音声合成部３０が、録音された発信者の名前データ「○○」および記憶部１４の定型の音声メッセージデータ「さんからお電話です」を合成する。即ち、制御部１２は、上記録音された発信者の名前音声データ「○○」と，上記音声メッセージテーブル６０中のメッセージデータ「さんからお電話です」とを、音声合成部３０へ入力させる。
【０１５２】
音声合成部３０は、上記発信者の名前データ「○○」を、上記音声メッセージデータの「さんからお電話です」の先頭部分へ、挿入して「○○さんからお電話です」と合成し、発信者自身の音声を一部（先頭の○○部分）に使用した着信音データとする。
ステップ９１０では、制御部１２が、上記発信者自身の着信音データを、音声処理部２６およびパス切換スイッチ３６を経由して、電話装置１０Ａのスピーカ３８から出力させる。即ち、制御部１２は、上記着信音データを音声処理部２６でアナログ信号に変換させた後に、パス切換スイッチ３６へ出力させる。
【０１５３】
ステップ９０５が肯定の場合すなわち上記電話番号データが電話帳テーブル６２に登録されている場合には、ステップ９１６で、電話帳テーブル６２内に発信者の音声データがあるか否かを判断する。ステップ９１６が否定の場合すなわち電話帳テーブル６２内に発信者の音声データが無い場合には、ステップ９０６へ進み、図１に示すメッセージＮＯ「２」と対応する「おつなぎ致しますので、発信音のあとにお名前を５秒以内におっしゃって下さい」を読出し、発信側の電話装置１０Ｂへ送信する。その後は、ステップ９０７以降の処理が続けられる。
【０１５４】
ステップ９１６が肯定の場合すなわち電話帳テーブル６２内に発信者の音声データが存在する場合には、ステップ９１８で、発信者の音声データを図１に示す記録部１６に記録されている電話帳テーブル６２（図３参照）を検索し、たとえば「音声ファイル１」を記録部１６から読出す。
【０１５５】
即ち、検索手段の一部を構成する制御部１２は、図３に示す電話帳テーブル６２中の該当する「音声ファイル１」に対応する音声データを音声データ記録領域から読出す。そして、ステップ９１２へ進み、制御部１２は、「音声ファイル１」に対応する音声データおよび図２に示す音声メッセージテーブル６０の登録ＮＯ「１」を、音声合成部３０で合成させる。また、制御部１２は、ステップ９１０で、発信者自身の上記着信音データを、スピーカ３８から出力させる。
【０１５６】
ステップ９０８が否定の場合すなわち正常に録音されなかった場合には、ステップ９２０で、制御部１２が、非通知の着信拒否が設定されているか否かを判断する。即ち、本実施形態では、図１に示す記録部１６に、発信側の電話装置１０Ｂが電話番号の通知を拒否する処理（例えば「１８４」のダイヤル操作）を行った場合に、発信側の電話装置１０Ｂの接続を拒否する「非通知拒否」を設定（記録）することができる。
【０１５７】
ステップ９２０が否定の場合すなわち「非通知拒否」が設定されていない場合には、ステップ９２２で、制御部１２が、通常の着信音たとえば呼び出し音（コール音）を、図１に示すスピーカ３８から出力させる。
【０１５８】
ステップ９２４において、制御部１２は、選択モードの処理（図６参照）を行う。この選択モードは、切断モード，通話モード，留守電モード，掛け直しモードの４種類の中から１つを、選択するモードである。なお、通話モードの選択は、ユーザが、受話器３２を持上げた状態（ステップ９１４での受話器３２を保持した状態）で、操作キー２０（通話キー）を押圧する。
【０１５９】
ステップ９２６において、制御部１２は、履歴集計モードの処理（図８参照）を行う。この履歴集計モードは、図１に示す記録部１６に記録されている着信履歴テーブル６４中に、着信履歴データを新たに登録（記録）などするモードである。上記ステップ９２６の履歴集計モードが終了した場合は、本フローチャートを終了させる。
【０１６０】
ステップ９１０が否定の場合すなわち正常に録音されなかった場合には、ステップ９２０で、制御部１２が、非通知の着信拒否が設定されているか否かを判断する。ステップ９２０が否定の場合すなわち「非通知拒否」が設定されていない場合には、ステップ９２２で、制御部１２が、通常の着信音たとえば呼び出し音を、図１に示すスピーカ３８から出力させる。
【０１６１】
また、ステップ９２０が肯定の場合すなわち「非通知拒否」が設定されている場合には、ステップ９２８で、制御部１２は、切断モード（図６参照）の処理を行い、その後ステップ９２６の履歴集計モードの処理を行う。なお、上記選択モードおよび履歴集計モードは、第１実施形態の処理と同様であるので、説明は省略する。
【０１６２】
本実施形態では、ステップ９０３及び９０４において、発信側の電話装置１０Ｂにおける自局の電話番号（プッシュボタン信号）の受信を待つ処理を設けたので、発信元の電話装置１０Ｂの特定が容易となる。その他の作用効果は、第１実施形態と同様であるので、詳細説明は省略する。
【０１６３】
(第４の実施形態)
以下、図１１乃至図１３に基づいて、本発明の第４実施形態である電話装置の着信方法（着信通話モード）について説明する。本実施形態において、記録部１６（図１参照）に記録されている電話帳テーブル６６（第１の記憶手段）には、図１１に示すように、「登録ＮＯ（アドレス）と、電話番号（データ）と、この電話番号に対応する名前（データ）と、発信者自身の音声による名前音声データと」を、それぞれ関連付けた領域の他に、パスワードを記録する領域も設けられている。本実施形態の電話装置において、上記電話帳テーブル６６以外の構成は、図１に示す電話装置１０と同様であるので、詳細な説明は省略する。
【０１６４】
ここで、本実施形態の電話装置１０Ａは、発信側から送信される送信データに対応するパスワードデータを、検索する検索手段（制御部１２）を、さらに備え、パスワードデータが、第１の記憶手段（電話帳テーブル６６）に予め記憶されている場合において、発信側の電話装置１０Ｂから送信される送信データに基づき、パスワードデータと一致するかを制御部１２の検索手段が検索し、制御部１２の判断手段が、制御部１２の検索手段の検索結果によって発信データがパスワードデータと一致すると判断した場合には、第１の記憶手段（記録部１６）に予め記憶されている音声データと、他の連続音データとを組み合わせ、連続する連続着信音データとする。
【０１６５】
（着信通話モード）
図１２に示すように、ステップ１０００において、制御部１２は、電話装置１０Ａに着信を受けているか否かを判断する。ステップ１０００が肯定の場合すなわち電話装置１０Ａが着信を受けた場合、制御部１２は、ステップ１００１で、発信側の電話装置１０Ｂがナンバーディスプレイ契約をしているか否かを判断する。
【０１６６】
ステップ１００１が肯定の場合すなわち上記契約データが記録部１６（図１参照）にある場合には、ステップ１００２で、制御部１２は、電話局（電話会社の端末）５２からの発信側の電話番号データを、受信したか否かを判断する。
【０１６７】
ステップ１００２が否定の場合すなわち上記電話番号データを受信しない場合には、ステップ１００３で、制御部１２は、プッシュボタン信号の送出処理を行う。プッシュボタン信号の送出処理は、制御部１２が、記憶部１４のメッセージテーブル（図２参照）中に記憶されている「発信側の電話装置１０Ｂにおける自局の電話番号を、プッシュボタン信号で入力（送信）依頼する」定型の音声（メッセージ）データを読出す。
【０１６８】
この後、制御部１２は、記憶部１４から読出した上記定型の音声データを、図１に示す音声処理部２６で音声信号に変換すると共に、音声処理部２６で変換した音声信号を、パス切換ステップ３６およびインタフェース４０を経由し、発信側の電話装置１０Ｂへ送信する。
【０１６９】
ステップ１００４において、制御部１２は、発信側の電話装置１０Ｂからプッシュボタン信号を受信したか否かを判断する。ステップ１００４が肯定の場合すなわちプッシュボタン信号を受信した場合には、ステップ１００５で、制御部１２は、プッシュボタン信号に基づくデータ（電話番号データ）が、記録部１６内の電話帳テーブル６６（図１１参照）に格納（記録）されている電話番号データと一致するか否かを検索する。
【０１７０】
即ち、ステップ１００５の処理では、上記電話装置１０Ｂからのプッシュボタン信号を、電話装置１０Ａのプッシュボタン受信部４２で受信すると共に、プッシュボタン受信部４２が上記プッシュボタン信号を解析した解析結果（電話番号データ）を制御部１２に出力する。
【０１７１】
ステップ１００５が否定の場合すなわち上記電話番号データが図１１に示す電話帳テーブル６６に登録されていない場合には、ステップ１００６で、制御部１２は、図１に示す記憶部１４に記憶されている定型の（音声）メッセージ「おつなぎ致しますので、発信音のあとにお名前を５秒以内におっしゃって下さい」（図２参照）に対応するメッセージデータを出力する。
【０１７２】
ステップ１００７では、発信者の音声データの録音処理が行われる。この録音処理では、発信側の電話装置１０Ｂで入力された発信者の音声データが、受信側の電話装置１０Ａのパス切換スイッチ３６およびインタフェース４０を経由し、音声処理部２６に入力される。
入力された音声データは音声処理部２６でデジタル化され、このデジタル化された音声データは図３に示す電話帳テーブル６６のアドレスデータすなわち電話番号データ（名前データ）に関連付けられて記録部１６に記録される。
【０１７３】
ステップ１００８では、制御部１２が、音声データが正常に録音された否かを判断する。ここで、音声検出部２８は、送信側の電話装置１０Ｂから送信されるデータ（インタフェース４０からのデータ）が、音声データか否かを検出（解析）する。そして、音声検出部２８が音声データ以外の話中音データまたは無音データなどであることを検出すると、音声検出部２８は音声データでないとの検出信号を制御部１２へ出力する。この場合、制御部１２は、録音エラー（正常に録音されていない）と判断する。
【０１７４】
ステップ１００８が肯定の場合すなわち正常に録音された場合には、ステップ１０１０で、制御部１２は、図１３に示すパスワード設定モードの処理を行う。図１３に示すステップ１１００において、制御部１２は、記憶部１４のメッセージテーブル（図２参照）中に記憶されている「パスワードを設定するのか、或いは予め定められた特定のプッシュボタン信号○○○○を入力するのかの選択を、お願いします」の定型の音声（メッセージ）データを読出す。
【０１７５】
この後、制御部１２は、記憶部１４から読出した上記定型の音声データを、図１に示す音声処理部２６で音声信号に変換すると共に、音声処理部２６で変換した音声信号を、パス切換ステップ３６およびインタフェース４０を経由し、発信側の電話装置１０Ｂへ送信する。
【０１７６】
ステップ１１０２では、制御部１２が、パスワードの入力を選択したのか否かを判断する。ステップ１１０２が肯定の場合すなわちパスワードの入力が選択された場合には、ステップ１１０４で、制御部１２は、発信側の電話装置１０Ｂのダイヤルキーパッド２２（図１参照）で入力されたプッシュボタン信号（パスワードデータ）を登録する。
【０１７７】
即ち、ステップ１１０４では、上記電話装置１０Ｂからのプッシュボタン信号を、電話装置１０Ａのプッシュボタン受信部４２で受信すると共に、プッシュボタン受信部４２が上記プッシュボタン信号を解析した解析結果（パスワードデータ）を制御部１２に出力する。
【０１７８】
そして、ステップ１１０４においては、制御部１２は、パスワードデータを、図１１に示す電話帳テーブル６６のパスワード欄に、該当する電話番号のパスワードとして登録する。なお、上記パスワードの登録後、制御部１２は、本サブルーチンを終了させる。
【０１７９】
一方、ステップ１１０２が否定の場合すなわちパスワードデータが入力されない場合には、ステップ１１００で指定された特定のプッシュボタン信号○○○○が受信されるのを待つ。そして、上記特定のプッシュボタン信号○○○○の受信後、制御部１２は、本サブルーチンを終了させる。なお、パスワードデータの入力が無い場合は、図１１における電話帳テーブル６６の登録ＮＯ３のパスワード欄に示すように、パスワードが無いことを示す「００００」を表示する。
【０１８０】
なお、ステップ１００１が否定の場合すなわちナンバーディスプレイ契約データが記録部１６に記録されていない場合（公衆電話からの着信などである場合）には、ステップ１００３へ進み、制御部１２は、プッシュボタン信号の送出処理を行う。また、ステップ１００２が肯定の場合すなわち発信側の電話装置１０Ｂから電話番号データを受信した場合には、上記ステップ１００５以降の処理が行われる。
【０１８１】
ステップ１０１０のパスワード設定モードの処理が終了した後は、ステップ１０１１で、制御部１２は、発信者の音声データを図１に示す記録部１６に記録されている電話帳テーブル６６（図１１参照）を検索し、たとえば「音声ファイル１」を記録部１６から読出す。即ち、検索手段の一部を構成する制御部１２は、図１１に示す電話帳テーブル６６中の登録ＮＯ「１」と対応する名前データの「音声ファイル１」と、この「音声ファイル１」に対応する音声データとを読出す。
【０１８２】
ステップ１００９において、図１に示す音声合成部３０は、録音された発信者の名前データ「○○」および記憶部１４の定型の音声メッセージデータ「さんからお電話です」を合成する。即ち、制御部１２は、上記録音された発信者の名前音声データ「○○」と，上記音声メッセージテーブル６０中のメッセージデータ「さんからお電話です」とを、音声合成部３０へ入力させる。
【０１８３】
音声合成部３０は、上記発信者の名前データ「○○」を、上記音声メッセージデータの「さんからお電話です」の先頭部分へ、挿入して「○○さんからお電話です」と合成し、発信者自身の音声を一部（先頭の○○部分）に使用した着信音データとする。
【０１８４】
ステップ１０１２において、制御部１２が、ステップ１００９で登録した上記発信者自身の着信音データを記録部１６から読出すと共に、読出した上記発信者自身の着信音データを、音声処理部２６およびパス切換スイッチ３６を経由して、電話装置１０Ａのスピーカ３８から出力させる。即ち、制御部１２は、上記着信音データを音声処理部２６でアナログ信号に変換させた後に、パス切換スイッチ３６へ出力させる。
【０１８５】
ステップ１００５が肯定の場合すなわち上記電話番号データが電話帳テーブル６６（図１１参照）に登録されている場合には、ステップ１０１３で、制御部１２は、発信者（電話番号）に対応するパスワードデータが登録されているか否かを判断する。すなわち、制御部１２は、記録部１６に記録されている電話帳テーブル６６に、上記パスワードデータがあるか否かを検索する。
【０１８６】
ステップ１０１３が肯定の場合すなわち発信者のパスワードデータが電話帳テーブル６６に登録されている場合には、ステップ１０１４で、制御部１２は、パスワード入力処理を行う。即ち、上記パスワード入力処理は、制御部１２が、図１に示す記憶部１４に記憶されている定型の音声メッセージテーブル６０から「パスワードの入力をお願いします」の音声メッセージデータを読出す。
【０１８７】
この後、制御部１２は、記憶部１４から読出した上記定型の音声メッセージデータを、図１に示す音声処理部２６で音声信号に変換すると共に、音声処理部２６で変換した音声信号を、パス切換ステップ３６およびインタフェース４０を経由し、発信側の電話装置１０Ｂへ送信する。
【０１８８】
そして、受信側の電話装置１０Ａの制御部１２は、発信側の電話装置１０Ｂのダイヤルキーパッド２２（図１参照）で入力（送信）されるプッシュボタン信号（パスワードデータ）を検索する。即ち、ステップ１０１４では、上記電話装置１０Ｂからのプッシュボタン信号を、電話装置１０Ａのプッシュボタン受信部４２で受信すると共に、プッシュボタン受信部４２が上記プッシュボタン信号を解析した解析結果（パスワードデータ）を制御部１２へ出力する。
【０１８９】
ステップ１０１５において、制御部１２は、上記パスワードデータが、図１１に示す電話帳テーブル６６に既に記録されている該当電話番号のパスワードデータと一致するか否かを判断する。ステップ１０１５が肯定の場合すなわちパスワードデータ同士が一致する場合には、制御部１２が、ステップ１０１７で、図１１に示す電話帳テーブル６６内に発信者の音声データがあるか否かを判断する。
【０１９０】
ステップ１０１７が否定の場合すなわち電話帳テーブル６６内に発信者の音声データが無い場合には、ステップ１００６へ進み、図１に示すメッセージＮＯ「２」と対応するメッセージデータ「おつなぎ致しますので、発信音のあとにお名前を５秒以内におっしゃって下さい」を読出し、発信側の電話装置１０Ｂへ送信する。その後は、ステップ１００７以降の処理が続けられる。
【０１９１】
ステップ１０１７が肯定の場合すなわち電話帳テーブル６６内に発信者の音声データが存在する場合には、ステップ１０１１に進み、制御部１２の検索手段が、発信者の音声データを図１に示す記録部１６に記録されている電話帳テーブル６６（図１１参照：第１の記憶手段）を検索し、たとえば「音声ファイル１」を記録部１６から読出す。
【０１９２】
即ち、検索手段の一部を構成する制御部１２は、図３に示す電話帳テーブル６６中の該当する「音声ファイル１」に対応する音声データを音声データ記録領域から読出す。そして、制御部１２は、ステップ１００９以降の処理を続ける。
【０１９３】
なお、ステップ１０１５が否定の場合すなわちパスワードデータ同士が一致しない場合には、制御部１２が、ステップ１０１６で、「パスワードが不一致または登録がありません」のメッセージ（警告データ）を、電話装置１０Ａの表示部２４（警告手段）に表示する。この場合、制御部１２は、図１に示すスピーカ３８（警告手段）からアラーム音（警告データ）を出力させても良い。
【０１９４】
そして、制御部１２は、電話装置１０Ａの表示部２４に「パスワードが不一致または登録がありません」のメッセージを表示させた状態（ステップ１０１６の処理中）で、ステップ１０１７以降の処理を行う。
【０１９５】
また、ステップ１０１３が否定の場合すなわち発信者のパスワードデータが電話帳テーブル６６に登録されていない場合にも、ステップ１０１７以降の処理を行う。即ち、制御部１２は、電話装置１０Ａの表示部２４に「パスワードが不一致または登録がありません」のメッセージを表示させる。
【０１９６】
ステップ１００４が否定の場合すなわちプッシュボタン信号を受信しなかった場合、またはステップ１００８が否定の場合すなわち発信者の音声データが正常に録音されなかった場合には、ステップ１０２０で、制御部１２が、非通知の着信拒否が設定されているか否かを判断する。即ち、本実施形態では、図１に示す記録部１６に、発信側の電話装置１０Ｂが電話番号の通知を拒否する処理（例えば「１８４」のダイヤル操作）を行った場合に、発信側の電話装置１０Ｂの接続を拒否する「非通知拒否」を設定（記録）することができる。
【０１９７】
ステップ１０２０が否定の場合すなわち「非通知拒否」が設定されていない場合には、ステップ１０２２で、制御部１２が、通常の着信音たとえば呼び出し音（コール音）を、図１に示すスピーカ３８から出力させる。
【０１９８】
ステップ１０２４において、制御部１２は、選択モードの処理（図６参照）を行う。この選択モードは、切断モード，通話モード，留守電モード，掛け直しモードの４種類の中から１つを、選択するモードであり、図１に示す表示部２４に選択モードの４種類「切断モード，通話モード，留守電モード，掛け直しモード」のメニューを表示させる。
【０１９９】
なお、本実施形態において、制御部１２は、選択モード４種類「切断モード，通話モード，留守電モード，掛け直しモード」のメニュー、及びステップ１０１６のメッセージ「パスワードが不一致または登録がありません」を、所定時間に亘って交互に、表示部２４に表示する。
【０２００】
ステップ１０２６において、制御部１２は、履歴集計モードの処理（図８参照）を行う。この履歴集計モードは、図１に示す記録部１６に記録されている着信履歴テーブル６４中に、着信履歴データを新たに登録（記録）などするモードである。上記ステップ１０２６の履歴集計モードが終了した場合は、本フローチャートを終了させる。
【０２０１】
ステップ１０２０が肯定の場合すなわち「非通知拒否」が設定されている場合には、ステップ１０２８で、制御部１２は、切断モード（図６参照）の処理を行い、その後ステップ１０２６の履歴集計モードの処理を行う。なお、上記選択モードおよび履歴集計モードは、第１実施形態の処理と同様であるので、説明は省略する。
【０２０２】
本実施形態では、ステップ１０１０及び１０１３〜１０１６において、パスワードに関する処理を設けたので、発信元の電話装置１０Ｂの特定がさらに容易となる。その他の作用効果は、第３実施形態と同様であるので、詳細説明は省略する。
【０２０３】
なお、上記各実施形態において説明した各プログラムの処理の流れ（図５乃至図１０、図１２および図１３参照）は一例であり、本発明の主旨を逸脱しない範囲内において適宜変更可能である。また、本発明では、上記構成の組み合わせるパターンを、例えば上記各実施形態または構成例の内、２つの例または２つ以上の例を組み合わせるパターンとしても良い。
【０２０４】
さらに、上記各実施形態では、電話装置１０を有線タイプとして説明したが、本発明の電話装置は無線タイプの携帯電話、または電話機能を備えるパーソナル・コンピュータ、ＰＤＡｓ（ＰＥＲＳＯＮＡＬ Ｄｉｇｉｔａｌ Ａｓｓｉｓｔａｎｔｓ）、テレビなどを含む概念である。
【図面の簡単な説明】
【０２０５】
【図１】本発明に係る第１実施形態の電話装置に関するブロック図である。
【図２】図１に示す記憶部に記憶されている定型の音声メッセージテーブルである。
【図３】図１に示す記録部に記録されている電話帳テーブルである。
【図４】図１に示す記録部に記録されている着信履歴テーブルである。
【図５】図１に示す電話装置における着信通話モードのフローチャートである。
【図６】図５に示す選択モードのサブルーチンである。
【図７】図６に示す電話帳登録モードのサブルーチンである。
【図８】図５に示す履歴集計モードのサブルーチンである。
【図９】本発明に係る第２実施形態における着信通話モードのフローチャートである。
【図１０】本発明に係る第３実施形態における着信通話モードのフローチャートである。
【図１１】本発明に係る第４実施形態における電話帳テーブルである。
【図１２】本発明に係る第４実施形態における着信通話モードのフローチャートである。
【図１３】図１２に示すパスワード設定モードのサブルーチンである。
【符号の説明】
【０２０６】
１０Ａ、１０Ｂ    電話装置
１２    制御部（第１の応答手段、処理手段、出力手段、判断手段、呼出手段、検索手段）
１４    記憶部（第２の記憶手段）
１６    記録部（第１の記憶手段）
２０    操作キー （操作手段）
２２    ダイヤルキーパッド （入力手段）
２４    表示部（表示手段、警告手段）
２６    音声処理部（音声処理手段）
２８    音声検出部
３０    音声合成部（音声合成手段）
３２    受話器（ハンドセット）
３４    フックスイッチ
３６    パス切換スイッチ（切換手段）
３８    スピーカ（警告手段）
４０    インタフェース
４２    プッシュボタン信号受信部
４４    モデム信号受信部
５０    外線
５２    電話局（交換局）
６０    音声メッセージテーブル（第２の記憶手段）
６２、６６    電話帳テーブル（第１の記憶手段）
６４    着信履歴テーブル（第１の記憶手段）
Ｓ    電話システム
【図１】
2006148312.tif 000003
【図２】
2006148312.tif 000004
【図３】
2006148312.tif 000005
【図４】
2006148312.tif 000006
【図５】
2006148312.tif 000007
【図６】
2006148312.tif 000008
【図７】
2006148312.tif 000009
【図８】
2006148312.tif 000010
【図９】
2006148312.tif 000011
【図１０】
2006148312.tif 000012
【図１１】
2006148312.tif 000013
【図１２】
2006148312.tif 000014
【図１３】
2006148312.tif 000015